(57)【要約】【課題】容器本体内の内容物に添加物を容易に添加させることができる注出容器を提供することを目的とする。【解決手段】容器本体２と中栓４と注出器３と添加物容器５とを備える注出容器１において、中栓４には、ステム４４が備えられ、添加物容器５には、内筒部５０と外筒部５１と下壁部５２と上壁部５３とが備えられ、内筒部５０及び外筒部５１のいずれか一方の筒部が、下壁部５２及び上壁部５３にそれぞれ固定され、一方の筒部と下壁部５２と上壁部５３が、内筒部５０及び外筒部５１のいずれか他方の筒部に対して相対的に軸方向に沿って移動可能となり、注出器３には、添加物容器５が中栓４内に収納された状態において上壁部５３を軸方向に沿って押下する押下部９が備えられる。【選択図】図１
2010274993.tif 000002
【特許請求の範囲】
【請求項１】
内容物を収容する容器本体と、
該容器本体の口部に装着された中栓と、
該中栓に着脱可能に装着されていると共に注出口を有する注出器と、
添加物を収容すると共に前記中栓の内側に収納可能な添加物容器と、
を備える注出容器において、
前記中栓には、前記容器本体内に配設されていると共に該容器本体の軸方向に沿って延設されたステムが備えられ、
前記添加物容器には、内側に前記ステムを挿通させることが可能な内筒部と、該内筒部の外側に配設された外筒部と、該外筒部と前記内筒部との間を閉塞する下壁部と、該下壁部の軸方向上側に配設されていると共に前記外筒部と前記内筒部との間を閉塞する上壁部と、が備えられ、
前記内筒部及び前記外筒部のうちのいずれか一方の筒部が、前記下壁部及び前記上壁部にそれぞれ固定され、前記一方の筒部と前記下壁部と前記上壁部が、前記内筒部及び前記外筒部のうちのいずれか他方の筒部に対して相対的に軸方向に沿って移動可能となっており、
前記注出器には、前記添加物容器が前記中栓内に収納された状態において前記上壁部を軸方向に沿って押下する押下部が備えられていることを特徴とする注出容器。
【請求項２】
請求項１に記載の注出容器において、
前記注出器と前記中栓とがヒンジ部を介して連結されていることを特徴とする注出容器。
【請求項３】
請求項１または２に記載の注出容器において、
前記注出器には、前記ステムに連結されると共に前記注出口に連通された連通筒部が備えられ、
前記上壁部は、下方に向かうに従い漸次縮径されたテーパー形状を成していることを特徴とする注出容器。
【請求項４】
請求項１から３のいずれか記載の注出容器において、
前記下壁部及び前記上壁部のうちのいずれか一方の壁部は、前記一方の筒部に対して一体に連結されていると共に前記他方の筒部に対して弱化部を介して分離可能に一体に連結されており、
前記下壁部及び前記上壁部のうちのいずれか他方の壁部は、前記内筒部及び前記外筒部に対して別体に形成されていると共に前記一方の筒部に固定されていることを特徴とする注出容器。
【発明の詳細な説明】
【技術分野】
【０００１】
本発明は、内容物を注出する注出容器に関する発明である。
【背景技術】
【０００２】
この種の注出容器として、従来、例えば下記特許文献１に記載されているような、注出容器に収容された薬剤や飲料などの内容物に対して、使用直前に添加物を添加させることが可能な注出容器が提案されている。詳しく説明すると、特許文献１には、容器本体の口部の内側に支持筒が装着されていると共に、その支持筒の内側に中栓が装着された注出容器が記載されている。上記した中栓は、口部に装着されるキャップ部と、キャップ部の天壁部に垂設された収容筒部と、収容筒部の下端に着脱可能に嵌合された蓋体と、から構成されている。上記した収容筒部は、支持筒の内側に挿通され、その内側に添加物が収容されている。この注出容器によれば、使用直前に、中栓を口部から引き上げることで、支持筒の下端に蓋体が係止され、収容筒部の下端部から蓋体が抜け出て収容筒部の下端が開放される。これにより、中栓内に収容された添加物が容器本体の内側に流入し、容器本体内の内容物に添加される。その後、口部にトリガー式噴射器などの注出器を取り付けて使用する。
【０００３】
また、特許文献１には、口部の内側に筒状の中栓が装着され、その中栓の下端部に弱化部を介して蓋体が連結され、口部に中栓の上端開口部を閉塞するキャップが装着され、中栓の内側に中筒が挿通された注出容器が記載されている。この注出容器によれば、キャップを外した後にそのキャップを反転させて口部に再装着させることにより、キャップによって中筒が押圧されると共に、その中筒の先端によって弱化部の一部が破断して蓋体が回動して中栓の下端が開放される。これにより、中栓内に収容された添加物が容器本体の内側に流入し、容器本体内の内容物に添加される。その後、口部にトリガー式噴射器などの注出器を取り付けて使用する。
【先行技術文献】
【特許文献】
【０００４】
【特許文献１】実用新案登録第２５９２４９８号公報
【発明の概要】
【発明が解決しようとする課題】
【０００５】
しかしながら、上記した従来の注出容器では、中栓を引き上げたりキャップを反転させて再装着させたりすることによって蓋体を外して添加物を添加させる工程の後、注出器を取り付ける工程を行うので、容器本体内の内容物に添加物を添加させる作業が煩雑であるという問題がある。
【０００６】
本発明は、上記した従来の問題が考慮されたものであり、容器本体内の内容物に添加物を容易に添加させることができる注出容器を提供することを目的としている。
【課題を解決するための手段】
【０００７】
本発明に係る注出容器は、内容物を収容する容器本体と、該容器本体の口部に装着された中栓と、該中栓に着脱可能に装着されていると共に注出口を有する注出器と、添加物を収容すると共に前記中栓の内側に収納可能な添加物容器と、を備える注出容器において、前記中栓には、前記容器本体内に配設されていると共に該容器本体の軸方向に沿って延設されたステムが備えられ、前記添加物容器には、内側に前記ステムを挿通させることが可能な内筒部と、該内筒部の外側に配設された外筒部と、該外筒部と前記内筒部との間を閉塞する下壁部と、該下壁部の軸方向上側に配設されていると共に前記外筒部と前記内筒部との間を閉塞する上壁部と、が備えられ、前記内筒部及び前記外筒部のうちのいずれか一方の筒部が、前記下壁部及び前記上壁部にそれぞれ固定され、前記一方の筒部と前記下壁部と前記上壁部が、前記内筒部及び前記外筒部のうちのいずれか他方の筒部に対して相対的に軸方向に沿って移動可能となっており、前記注出器には、前記添加物容器が前記中栓内に収納された状態において前記上壁部を軸方向に沿って押下する押下部が備えられていることを特徴としている。
【０００８】
このような特徴により、この注出容器を使用して容器本体内の内容物を注出する前に、まず、中栓の上端から注出器を外して中栓を開放させる。次に、中栓の内側に添加物容器を収納させる。このとき、添加物容器の内筒部の内側に中栓のステムを挿入させる。次に、中栓に注出器を装着させる。このとき、注出器に設けられた押下部が添加物容器の上壁部を軸方向に沿って押下する。これにより、内筒部及び外筒部のうち、上壁部に固定された一方の筒部、及び、その一方の筒部に固定された下壁部が、上壁部と共に軸方向に沿ってそれぞれ下降する。その結果、下壁部が、内筒部及び外筒部のうちの他方の筒部の下端から離間し、その他方の筒部の下端と下壁部との間に隙間が形成され、その隙間から添加物容器内（外筒部と内筒部との間）の添加物が流出して容器本体内の内容物に添加される。その後、添加物が添加された内容物を注出器の注出口から注出する。
【０００９】
また、本発明に係る注出容器は、前記注出器と前記中栓とがヒンジ部を介して連結されていることが好ましい。
これにより、ヒンジ部回りに注出器を回動させることにより、中栓の上端から注出器を外して中栓を開放させた際にも、注出器が中栓から分離されることがなく、注出器がヒンジ部を介して中栓に連結される。
【００１０】
また、本発明に係る注出容器は、前記注出器に、前記ステムに連結されると共に前記注出口に連通された連通筒部が備えられ、前記上壁部が、下方に向かうに従い漸次縮径されたテーパー形状を成していることが好ましい。
これにより、中栓に注出器を装着させた際、注出器の連通筒部が中栓の上壁部に干渉することなく、連通筒部とステムとが連結される。
【００１１】
また、本発明に係る注出容器は、前記下壁部及び前記上壁部のうちのいずれか一方の壁部が、前記一方の筒部に対して一体に連結されていると共に前記他方の筒部に対して弱化部を介して分離可能に一体に連結されており、前記下壁部及び前記上壁部のうちのいずれか他方の壁部が、前記内筒部及び前記外筒部に対して別体に形成されていると共に前記一方の筒部に固定されていることが好ましい。
これにより、内筒部と下壁部と外筒部、或いは、内筒部と上壁部と外筒部を一体に成形した後、内筒部と外筒部との間に添加物を注入し、その後、別に成形された上壁部、或いは、下壁部を装着させることにより、内部に添加物が収容された二重筒構造の添加物容器が完成する。
【発明の効果】
【００１２】
本発明に係る注出容器によれば、容器本体に注出器を装着することで、添加物容器の上壁部を注出器に備えられた押下部によって押下して添加物容器を開放するので、混合操作を容易に行うことができる。つまり、注出器を装着するのと同時に添加物容器を開封することができるので、容器本体内の内容物に添加物を容易に添加させることができる。
【図面の簡単な説明】
【００１３】
【図１】（ａ）は本発明の実施の形態を説明するための容器本体、中栓及び注出器の破断図であり、（ｂ）は本発明の実施の形態を説明するための添加物容器の断面図である。
【図２】本発明の実施の形態を説明するため破断図であり、添加物容器を中栓内に収納させる状態を表した図である。
【図３】本発明の実施の形態を説明するため破断図であり、添加物容器内の添加物を容器本体内の内容物に添加する状態を表した図である。
【図４】本発明の他の実施の形態を説明するための添加物容器の断面図である。
【発明を実施するための形態】
【００１４】
以下、本発明に係る注出容器の実施の形態として、注出器としてトリガー式噴射器を使用したトリガー式噴射器付き容器１について、図面に基いて説明する。
なお、本実施の形態では、容器本体２からみたトリガー式噴射器３（本発明の注出器に相当する。）側、つまり図１（ａ）における上側を「上方」とし、その反対側、つまり図１（ａ）における下側を「下方」とする。また、後述するノズル３０（本発明の注出口に相当する。）側、つまり図１（ａ）における左側を「前方」とし、その反対側、つまり図１（ａ）における右側を「後方」とする。また、図１に示す符号Ｏは、容器本体２の中心軸線を示しており、以下「軸線Ｏ」と記す。また、この軸線Ｏ方向を「軸方向」と記し、軸線Ｏに直交する方向を「径方向」と記し、軸線Ｏ周りの方向を「周方向」と記す。
【００１５】
図１に示すように、トリガー式噴射器付き容器１は、容器本体２内の内容物Ｘを噴出させて使用する容器であって、その概略構成としては、内容物Ｘを収容する容器本体２と、容器本体２の口部２０に装着された中栓４と、中栓４に着脱可能に装着されたトリガー式噴射器３と、添加物Ｙを収容する添加物容器５と、を備えている。
【００１６】
図１（ａ）に示すように、容器本体２は、上端に口部２０を有する容器であり、容器本体２の内部には、薬液等の液状の内容物Ｘが収容されている。上記した口部２０の下部２２は、上方に向かうに従い漸次縮径されたテーパー形状に形成されており、容器本体２の胴部２１の上端から軸線Ｏを中心軸線にして軸方向に沿って延設されている。なお、口部２０の下部２２の下端は、胴部２１の上端よりも小径であり、口部２０の下部２２と胴部２１との間には段差が形成されている。口部２０の上部２３は、略円筒形状に形成されており、前記下部２２の上端から軸線Ｏを中心軸線にして軸方向に沿って延設されている。この口部２０の上部２３の外周面には、雄ねじ２４が形成されている。
【００１７】
中栓４は、口部２０の上部２３の内側に嵌合された嵌合筒部４０と、嵌合筒部４０の上部外周面から径方向外側に向けて突出されたフランジ部４１と、フランジ部４１の外縁から垂下された外壁部４２と、嵌合筒部４０の下端に設けられた底壁部４３と、底壁部４３の内縁から立設されたステム４４と、を備えている。
【００１８】
嵌合筒部４０は、口部２０の上部２３の内側に貫設された略円筒形状の筒部であり、軸線Ｏを共通軸にして口部２０と同軸上に配設されている。嵌合筒部４０の上端は、口部２０の上部２３の上端から上方に向けて突出されており、嵌合筒部４０の下端は、口部２０の上部２３の下端から下方に向けて突出されている。
フランジ部４１は、嵌合筒部４０の外周面に沿って全周に亘って形成された円環状の板部である。このフランジ部４１は、口部２０の上端面上に載置されており、フランジ部４１の下面が口部２０の上端面に当接されることで中栓４の下方への移動が規制されている。
【００１９】
外壁部４２は、口部２０の外周に周設された筒部である。外壁部４２の下部は、下方に向かうに従い漸次拡径されており、外壁部４２の外周面は、容器本体２の胴部２１の外周面に対して略面一に形成されている。また、外壁部４２の上部の内周面には、口部２０の雄ねじ２４に螺合される雌ねじ４７が形成されており、中栓４は口部２０に対して螺着されている。
【００２０】
底壁部４３は、軸線Ｏの垂直面に沿って配設された略円環状の板部であり、嵌合筒部４０の下端とステム４４の下端との間に設けられている。
ステム４４は、容器本体２内の内容物Ｘをトリガー式噴射器３に流通させる流通路であり、軸方向に沿って延設された略円筒形状の筒部である。ステム４４は、容器本体２の口部２０内に配設されていると共に軸線Ｏを共通軸にして嵌合筒部４０と同軸上に配設されている。このステム４４の内側には、容器本体２内の内容物Ｘ内に配設された吸い上げパイプ６の上端が嵌合されている。
【００２１】
中栓４には、上記した嵌合筒部４０の内周面と底壁部４３の上面とステム４４の外周面とによって、添加物容器５を収納する収納室４５が形成されている。また、中栓４には、前記した収納室４５と容器本体２の内部とを連通する連通口４６が形成されている。この連通口４６は、底壁部４３及び嵌合筒部４０に形成された開口であり、底壁部４３の内縁から嵌合筒部４０の軸方向中間部にかけて延設されている。また、この連通口４６は、周方向に複数配設されている。
【００２２】
また、中栓４には、その中栓４の上端にトリガー式噴射器３が装着された状態において当該中栓４とトリガー式噴射器３とを連結する止め具７が付設されている。この止め具７は、中栓４の外壁部４２の外周面に対向配置された操作板７０と、操作板７０の軸方向中間部と中栓４の外壁部４２とを連結する弾性変形可能なヒンジ部７１と、を備えている。操作板７０は、ヒンジ部７１回りに鉛直面に沿って回動可能なシーソー板であり、中栓４の外壁部４２の上端の上方まで延伸されている。また、操作板７０の上端には、後述するトリガー式噴射器３側の掛止部３７に掛止される鉤状の爪部７２が設けられている。また、止め具７は、後述する中栓４とトリガー式噴射器３とを連結するヒンジ部８に対して径方向の反対側に配設されている。具体的には、止め具７は、中栓４の外壁部４２のうちの前面側の部分に配設されている。
【００２３】
トリガー式噴射器３は、容器本体２内の内容物Ｘを噴射させるための噴射器であり、その概略構成としては、中栓４の上端を覆う蓋部３１と、蓋部３１に装着された噴射器本体３２と、噴射器本体３２を覆うシュラウド３３と、を備えている。
【００２４】
蓋部３１は、中栓４の嵌合筒部４０及びステム４４の上方に配設された天壁部３４と、天壁部３４の外縁から垂下された周壁部３５と、周壁部３５の下端から径方向外側に向けて突出されたフランジ部３６と、を備えている。天壁部３４は、中央部分に後述する噴射器本体３２の連通筒部１１が挿通される開口３４ａが形成された円環状の板部であり、軸線Ｏに対して垂直に配設されている。周壁部３５は、軸線Ｏを中心軸にして軸方向に沿って延設された筒部であり、周壁部３５の下端部は、中栓４の嵌合筒部４０の上端部の外周に嵌め込まれている。フランジ部３６は、中栓４のフランジ部４１の上面に重ね合わせられている。また、蓋部３１のフランジ部３６の前方側部分には、鉤状の掛止部３７が突設されており、この掛止部３７には、前記した止め具７の爪部７２が掛止されている。
【００２５】
また、蓋部３１は、ヒンジ部８を介して中栓４に連結されている。ヒンジ部８は、前後方向に直交する水平方向に延在する回転軸であり、蓋部３１及び中栓４の後方側部分に配設されている。具体的には、ヒンジ部８は、中栓４のフランジ部４１の後方側の外縁と蓋部３１のフランジ部３６の後方側の外縁との間に設けられている。また、上記した蓋部３１と中栓４とヒンジ部８とは、互いに一体に成形されている。
【００２６】
また、蓋部３１の天壁部３４には、添加物容器５が中栓４内に収納された状態（図３に示す状態）において後述する添加物容器５の上壁部５３を軸方向に沿って押下する押下部９が設けられている。この押下部９は、蓋部３１の天壁部３４の下面から垂下された略円筒形状の筒部であり、軸線Ｏを共通軸にして蓋部３１の周壁部３５や後述する噴射器本体３２の連通筒部１１と同軸上に配設されている。
【００２７】
噴射器本体３２は、その前端部分に設けられたノズル３０と、前端部分に垂下された前後方向に揺動可能なトリガー３８と、トリガー３８の後方に配設されたポンプ３９と、蓋部３１に被着された装着キャップ１０と、図示せぬ連通路を介してノズル３０に連通される連通筒部１１と、を備えている。装着キャップ１０は、略円筒形状の筒部であり、蓋部３１のフランジ部３６の上方に配置されていると共に蓋部３１の図示せぬ立ち上がり筒部の外側に嵌合されている。連通筒部１１は、軸方向に沿って延設されていると共に軸線Ｏを共通軸にして装着キャップ１０と同軸上に配設された略円筒形状の筒部である。連通筒部１１の下端は、中栓４のステム４４の上端に嵌合されており、連通筒部１１とステム４４とは連通されている。
【００２８】
シュラウド３３は、上記したポンプ３９を覆う断面視コ字形状の外殻部であり、噴出器本体３２の外形（外観）を構成するものである。シュラウド３３の前面及び下面はそれぞれ開放されている。このシュラウド３３は、上記した装着キャップ１０の上方に配設されており、シュラウド３３の前端部の前方に上記したノズル３０が配設され、また、シュラウド３３の前端部の下方に上記したトリガー３８が配設されている。
【００２９】
一方、図１（ｂ）に示すように、添加物容器５は、添加物Ｙを収容すると共に、図１（ａ）に示す中栓４の内側（収容室４５）に収納可能な二重筒構造の容器である。この添加物容器５の概略構成としては、内筒部５０と、外筒部５１と、下壁部５２と、上壁部５３と、を備えている。
【００３０】
内筒部５０は、円筒形状の筒部であり、この内筒部５０の内側には、図１（ａ）に示す中栓４のステム４４が挿通可能となっている。また、内筒部５０の外周面には、軸方向に延在する複数の凸リブ５４が周方向に間隔をあけて配設されている。
【００３１】
外筒部５１は、内筒部５０の外側に配設された円筒形状の筒部であり、内筒部５０と同軸上に配設されている。外筒部５１の下端は、内筒部５０の下端と略同一の軸方向位置に形成されている。一方、外筒部５１の上端は、内筒部５０の上端よりも軸方向上側に形成されている。また、外筒部５１の上部には、外筒部５１の外周面から径方向外側に突出したフランジ部５５が全周に亘って形成されている。
【００３２】
下壁部５２は、内筒部５０の下端と外筒部５１の下端との間を閉塞する円環状の板部である。この下壁部５２の内縁は、内筒部５０の下端に対して固定されており、下壁部５２の外縁は、外筒部５１の下端に対して分離可能に連結されている。詳しく説明すると、下壁部５２は、内筒部５０の下端から径方向外側に向けて全周に亘って突出したフランジ状の板部であり、下壁部５２の内縁と内筒部５０の下端とは一体に連結されている。一方、下壁部５２の外縁は、外筒部５１の下端に対して破断可能な弱化部５６を介して分離可能に一体に連結されている。つまり、下壁部５２は、内筒部５０及び外筒部５１と一体成形されており、且つ、弱化部５６が破断されることで外筒部５１に対しては分離可能となっている。また、下壁部５２の上面には、内筒部５０の下端部の外周面から径方向外側に向かって下向きに傾斜した略三角形状のリブ５７が立設されている。
【００３３】
上壁部５３は、内筒部５０の上端と外筒部５１の上端との間を閉塞する蓋体であり、内筒部５０及び外筒部５１に対して別体に形成されている。この上壁部５３は、下方に向かうに従い漸次縮径されたテーパー形状（すり鉢状）の壁部であり、その概略構成としては、下方に向かうに従い漸次縮径されたテーパー部５８と、テーパー部５８の上端から径方向外側に向かって全周に亘って突出した円環状のフランジ部５９と、フランジ部５９の外縁から垂下されて外筒部５１の上端部の内側に摺動可能に嵌合された円筒形状の摺動筒部６０と、を備えている。上記したテーパー部５８の下端部（上壁部５３の内縁部）は、内筒部５０の上端部に嵌合されることで内筒部５０の上端部に固定されている。
上述したように、内筒部５０と下壁部５２とは一体に成形されることで固定され、内筒部５０と上壁部５３とは嵌合によって固定されており、これら内筒部５０と下壁部５２と上壁部５３とは一体となって外筒部５１に対して相対的に軸方向に沿って移動可能となっている。
【００３４】
上記した構成の添加物容器５に添加物Ｙを充填する方法としては、まず、内筒部５０と外筒部５１と下壁部５２とを一体に成形する。次に、内筒部５０や外筒部５１の上端側から内筒部５０と外筒部５１との間に所定量の添加物Ｙを注入し、その後、内筒部５０の上端と外筒部５１の上端との間に上壁部５３を嵌合させて添加物容器５の上端を閉塞する。これにより、添加物容器５内に添加物Ｙが密封される。
【００３５】
なお、上記した構成からなるトリガー式噴射器付き容器１は、添加物容器５を交換して繰り返し使用することに適した容器であり、例えば、使用者自身が、容器本体２内に水等の内容物Ｘを充填した後、濃縮液や粉体等の添加物Ｙが収容された添加物容器５（カートリッジ）を装填し、その添加物容器５内の添加物Ｙを容器本体２内の内容物Ｘに添加させて使用することができるものである。
【００３６】
次に、上記した構成からなるトリガー式噴射器付き容器１の作用について説明する。
【００３７】
まず、トリガー式噴射器付き容器１の使用前に、図２に示すように、中栓４の上端からトリガー式噴射器３を外して中栓４を開放させる。具体的に説明すると、まず、止め具７の操作板７０の下端部を径方向内側に向けて押圧し、操作板７０をヒンジ部７１回りに回動させ、操作板７０の上端の爪部７２を掛止部３７から外す。これにより、止め具７によるトリガー式噴射器３の拘束が解除される。そして、トリガー式噴射器３を後方側に傾倒させ、トリガー式噴射器３をヒンジ部８回りに回動させる。これにより、中栓４の上端からトリガー式噴射器３が外れて中栓４の上端が開放される。このとき、外されたトリガー式噴射器３は、ヒンジ部８を介して中栓４に連結されているので、トリガー式噴射器３が中栓４から分離されることがない。
【００３８】
次に、添加物Ｙが収容された添加物容器５を中栓４の内側に収納させる。具体的に説明すると、添加物容器５の内筒部５０の内側に中栓４のステム４４を挿入させつつ、添加物容器５の外筒部５１を中栓４の嵌合筒部４０内に挿入させる。このとき、添加物容器５のフランジ部５５が中栓４の嵌合筒部４０の上端面に当接するところまで添加物容器５を挿入する。これにより、添加物容器５が中栓４に対する所定の軸方向位置に確実に配置され、添加物容器５の下壁部５２と中栓４の底壁部４３との間に隙間があけられる。
【００３９】
次に、図３に示すように、トリガー式噴射器３を中栓４の上端に被着させる。具体的に説明すると、後方側に傾倒したトリガー式噴射器３を前方側に起こしてトリガー式噴射器３をヒンジ部８回りに回動させ、蓋部３１のフランジ部３６を中栓４のフランジ部４１の上面に重ね合わせると共に、止め具７の爪部７２を掛止部３７に掛止させて中栓４とトリガー式噴射器３とを拘束する。これにより、中栓４の上端にトリガー式噴射器３が被着されて中栓４の上端が閉塞される。
【００４０】
このとき、トリガー式噴射器３の連通筒部１１の下端が中栓４のステム４４の上端に嵌合され、ステム４４と連通筒部１１とが連通される。この際、上壁部５３がテーパー形状に形成されているので、連通筒部１１が上壁部５３に干渉することなく、ステム４４に連結される。また、トリガー式噴射器３の蓋部３１に設けられた押下部９が添加物容器５の上壁部５３のフランジ部５９の上面を軸方向に沿って押下する。これにより、上壁部５３から内筒部５０及び下壁部５２に押圧力が伝達され、下壁部５２の外縁と外筒部５１の下端との間の弱化部５６が破断し、上壁部５３に固定された内筒部５０が上壁部５３と共に軸方向に沿って押し下げられると共に、内筒部５０に連結された下壁部５２が内筒部５０と共に押し下げられる。その結果、下壁部５２の外縁が外筒部５１の下端から離間して下壁部５２の外縁と外筒部５１の下端との間に隙間が形成され、その隙間から添加物容器５内の添加物Ｙが流出する。そして、その添加物Ｙは、中栓４の連通口４６を通って容器本体２内に流入し、容器本体２内の内容物Ｘに添加される。
【００４１】
次に、トリガー式噴射器３を操作して、添加物Ｙが添加された内容物Ｘをノズル３０から噴射させる。具体的に説明すると、トリガー３８を後方へ揺動させる。これにより、ポンプ３９が駆動し、このポンプ３９の機能によって、吸い込みパイプ６の下端から容器本体２内の内容物Ｘが吸い上げられ、その内容物Ｘが上記したステム４４内、連通筒部１１内及び図示せぬ連通路を通ってノズル３０に送られ、ノズル３０から噴出される。
【００４２】
また、必要に応じて中栓４内の添加物容器５を交換することも可能である。例えば、容器本体２内の内容物Ｘが無くなった場合には、中栓４の上端からトリガー式噴射器３を外して空の添加物容器５を中栓４内から引き抜いて取り出す。次に、容器本体２内に内容物Ｘを注入する。このとき、口部２０から中栓４を取り外してもよく、或いは、口部２０に中栓４を装着させた状態で、中栓４を通して容器本体２内に内容物Ｘを注入してもよい。次に、添加物Ｙが充填されている新たな添加物容器５を中栓４内に収納させ、その後、中栓４の上端にトリガー式噴射器３を被着させる。これにより、添加物Ｙが添加された内容物Ｘを再び噴射させることができる。
【００４３】
上記したトリガー式噴射器付き容器１によれば、容器本体２にトリガー式噴射器３を装着することで、添加物容器５の上壁部５３を押下部９によって押下して添加物容器５の下部を開放するので、混合操作を容易に行うことができる。つまり、トリガー式噴射器３を装着するのと同時に添加物容器５を開封することができるので、容器本体２内の内容物に添加物Ｙを容易に添加させることができる。
また、押下部９によって上壁部５３を軸方向に沿って押下し、内筒部５０と下壁部５２とを軸方向に沿って下降させることで、外筒部５１の下端と下壁部５２の外縁との間に隙間が形成されるので、押下部９による押下位置が多少ずれた場合であっても、内筒部５０と下壁部５２とが容易に押し下げられる。したがって、容器本体２内の内容物Ｘに添加物Ｙを容易に添加させることができる。
また、上記した添加物容器５は容易に取り出すことが可能であり、添加物容器５の交換作業を容易に行うことができる。
【００４４】
また、上記したトリガー式噴射器付き容器１によれば、中栓４の上端からトリガー式噴射器３を外したとき、ヒンジ部８を介して中栓４とトリガー式噴射器３とが連結されるので、トリガー式噴射器３が中栓４から分離されることがなく、トリガー式噴射器３の紛失を防止することができると共に、トリガー式噴射器３の脱着作業を容易に行うことができる。
【００４５】
また、上記したトリガー式噴射器付き容器１によれば、上壁部５３がテーパー形状を成しており、中栓４にトリガー式噴射器３を装着させた際、連通筒部１１が上壁部５３に干渉することなく、連通筒部１１とステム４４とが連結されるので、中栓４にトリガー式噴射器３を装着させる作業を容易に行うことができる。
【００４６】
また、上記したトリガー式噴射器付き容器１によれば、内筒部５０と外筒部５１と下壁部５２とを一体に成形した後、その内筒部５０と外筒部５１との間に添加物Ｙを充填し、その後、上壁部５３を装着させることで、添加物Ｙが収容された添加物容器５を作成されるので、密閉された添加物容器５の内部に添加物Ｙを容易に充填することができる。
【００４７】
以上、本発明に係る注出容器の実施の形態について説明したが、本発明は上記した実施の形態に限定されるものではなく、その趣旨を逸脱しない範囲で適宜変更可能である。
例えば、上記した実施の形態では、内筒部５０が下壁部５２及び上壁部５３にそれぞれ固定され、これら内筒部５０、下壁部５２及び上壁部５３が、外筒部５１に対して相対的に軸方向に沿って移動可能となっているが、本発明は、例えば図４（ａ）に示すように、外筒部１５１が下壁部１５２及び上壁部１５３にそれぞれ固定され、これら外筒部１５１、下壁部１５２及び上壁部１５３が、内筒部１５０に対して相対的に軸方向に沿って移動可能となっている添加物容器１０５であってもよい。詳しく説明すると、下壁部１５２の外縁は外筒部１５１の下端に一体的に連結されて固定されており、下壁部１５２の内縁は、弱化部１５６を介して分離可能に内筒部１５０の下端に連結されている。また、上壁部１５３のテーパー部１５８の下端部は、内筒部１５０の上端部の外周面に摺接されており、上壁部１５３のフランジ部１５９の外縁には、外筒部１５１の上端部の内側に嵌合される嵌合筒部１６０が垂下され、上壁部１５３は外筒部１５１の上端に固定されている。このような構成の添加物容器１０５では、図３に示すように、トリガー式噴射器３を中栓４に被着させた際に、図１（ａ）に示す押下部９によって上壁部１５３のフランジ部１５９の上面が押下されると、弱化部１５６が破断して上壁部１５３と共に外筒部１５１及び下壁部１５２がそれぞれ押し下げられ、下壁部１５２の内縁と内筒部１５０の下端との間に隙間が形成され、その隙間から添加物Ｙが流出する。なお、このとき、図４（ａ）に示すように、内筒部１５０には、ステム４４に対して上方から当接して内筒部１５０の下降を規制するフランジ部１５５を突設させておくことが好ましい。また、中栓４の下端部に形成される連通口４６を、ステム４４の軸方向中間部まで延設させることで、添加物容器１０５の下壁部１５２の内縁と内筒部１５０の下端との間から流出した添加物Ｙが容器本体２内に流入しやすくなる。
【００４８】
また、上記した実施の形態では、下壁部５２が内筒部５０に対して一体に連結されていると共に外筒部５１に対して弱化部５６を介して一体に連結され、上壁部５３が内筒部５０や外筒部５１に対して別体に形成されていると共に内筒部５０に対して固定されているが、本発明は、例えば図４（ｂ）に示すように、上壁部２５３が内筒部２５０に対して一体に連結されていると共に外筒部２５１に対して弱化部２５６を介して一体に連結され、下壁部２５２が内筒部２５０や外筒部２５１に対して別体に形成されていると共に内筒部２５０に対して固定されている添加物容器２０５であってもよい。詳しく説明すると、下壁部２５２の内縁は内筒部２５０の下端部の外側に嵌合されて固定されており、下壁部２５２の外縁は外筒部２５１の下端部の内周面に摺接されている。また、上壁部２５３のテーパー部２５８の下端は内筒部２５０の上端に一体に連結（一体成形）されて固定されており、上壁部２５３のフランジ部２５９の外縁は、弱化部２５６を介して外筒部２５１の上端に分離可能に連結されている。これにより、添加物Ｙが充填された添加物容器２０５を作成する際には、まず、内筒部２５０と外筒部２５１と上壁部２５３とを一体に成形し、続いて、これを反転させて内筒部２５０と外筒部２５１との間に所定量の添加物Ｙを注入し、その後、内筒部２５０と外筒部２５１の間に下壁部２５２を嵌合させて添加物容器２０５を密閉する。これにより、添加物容器２０５内に添加物Ｙが密封される。
【００４９】
また、本発明は、例えば図４（ｃ）に示すように、外筒部３５１が下壁部３５２及び上壁部３５３にそれぞれ固定され、これら外筒部３５１、下壁部３５２及び上壁部３５３が、内筒部３５０に対して相対的に軸方向に沿って移動可能となっており、且つ、上壁部３５３が外筒部３５１に対して一体に連結（一体成形）されていると共に内筒部３５０に対して弱化部３５６を介して分離可能に一体に連結され、下壁部３５２が内筒部３５０や外筒部３５１に対して別体に形成されていると共に外筒部３５１に対して固定されている添加物容器３０５であってもよい。この場合も、上述した図４（ａ）に示す添加物容器１０５と同様に、内筒部３５０には、ステム４４に対して上方から当接して内筒部３５０の下降を規制するフランジ部３５５を突設させておくことが好ましい。
【００５０】
また、上記した実施の形態では、注出器としてトリガー式噴射器３が備えられているが、本発明はトリガー式噴射器付き容器１に限定されるものではない。例えば、注出器として押下ポンプやフォーマーポンプを備えた注出容器であってもよく、或いは、中栓４に被着される蓋部にノズルが立設された構成の注出容器であってもよい。
【００５１】
また、上記した実施の形態では、一方の壁部（下壁部５２）が一方の筒部（内筒部５０）に対して一体に連結されていると共に他方の筒部（外筒部５１）に対して弱化部５６を介して分離可能に一体に連結されており、他方の壁部（上壁部５３）が、内筒部５０及び外筒部５１に対して別体に形成されていると共に一方の筒部（内筒部５０）に固定されているが、本発明は、内筒部、外筒部、下壁部及び上壁部を適宜一体に形成したり別体に形成したりすることが可能であり、例えば、内筒部と下壁部と上壁部とを一体に形成して外筒部だけを別体にすることも可能であり、或いは、外筒部と下壁部と上壁部とを一体に形成して内筒部だけを別体にすることも可能であり、或いは、内筒部、外筒部、下壁部及び上壁部をそれぞれ別体にすることも可能である。
【００５２】
また、上記した実施の形態では、上壁部５３がテーパー状に形成されているが、本発明は、上壁部を他の形状にすることも可能であり、例えば、軸線Ｏに対して垂直に配設された円環板状の上壁部であってもよい。
【００５３】
また、上記した実施の形態では、トリガー式噴射器３と中栓４とがヒンジ部８を介して連結されているが、本発明は、注出器と中栓とがヒンジ部を介して連結されていない構成にすることも可能であり、例えば、中栓の上端に注出器が嵌合されたり螺合されたりする構成であってもよい。
【００５４】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００５５】
１  トリガー式噴射器付き容器（注出容器）
２  容器本体
３  トリガー式噴射器（注出器）
４  中栓
５，１０５，２０５，３０５  添加物容器
８  ヒンジ部
９  押下部
１１  連通筒部
３０  ノズル（注出口）
４４  ステム
５０，１５０，２５０，３５０  内筒部
５１，１５１，２５１，３５１  外筒部
５２，１５２，２５２，３５２  下壁部
５３，１５３，２５３，３５３  上壁部
５６，１５６，２５６，３５６  弱化部
【図１】
2010274993.tif 000003
【図２】
2010274993.tif 000004
【図３】
2010274993.tif 000005
【図４】
2010274993.tif 000006